(57)【特許請求の範囲】
【請求項１】
指定された第１の点の位置を検出する検出部と、
前記第１の点から方向を指示することにより指定される位置にアイコンを表示させる制御部と、
情報を記憶する記憶部と、
を備え、
前記制御部は、前記アイコンの選択により表示される情報が前記記憶部に記憶された情報であるか否かに基づいて前記アイコンの表示形式を決定し、前記記憶部に記憶された情報を表示するアイコンと、前記記憶部に記憶されていない情報を表示するアイコンとを交互に配置する、情報処理装置。
【請求項２】
前記制御部は、前記第１の点からの方向を指示する第１の操作が検出されると、指定される前記アイコンに関連する情報をさらに表示させる、
請求項１に記載の情報処理装置。
【請求項３】
前記制御部は、前記第１の点からの方向を指示する第１の操作が検出されると、指定される前記アイコンに関連し、当該アイコン以外の前記アイコンをさらに表示させる、
請求項２に記載の情報処理装置。
【請求項４】
前記制御部は、前記第１の点からの方向を指示する第１の操作によって指定された前記アイコンを選択する第２の操作が検出されると、前記アイコンの示す機能を実行させる、
請求項３に記載の情報処理装置。
【請求項５】
前記制御部は、前記第１の点からの方向を指示する第１の操作に応じて指定される前記アイコンの選択により表示される情報をプレビュー表示させる、
請求項４に記載の情報処理装置。
【請求項６】
前記アイコンの選択は、操作体の位置に応じて検出され、
前記制御部は、操作体の位置が前記アイコン上に検出された状態から前記操作体が操作を中止したことが検出されると、前記アイコンの選択を確定する、
請求項１に記載の情報処理装置。
【請求項７】
前記制御部は、前記第１の点を略中心とする円上に前記アイコンを配置する、
請求項６に記載の情報処理装置。
【請求項８】
前記制御部は、表示する前記アイコンの数に応じて、前記円の大きさを変える、
請求項７に記載の情報処理装置。
【請求項９】
前記制御部は、前記第１の点が表示画面の周縁部に検出されたとき、前記アイコンの間隔を狭めて表示させる、
請求項７に記載の情報処理装置。
【請求項１０】
前記制御部は、前記第１の点が表示画面の周縁部に検出され、前記第１の点からの方向を指示する第１の操作により前記アイコンのうちのいずれかが指定されると、指定された前記アイコンを他のアイコンよりも大きく表示させる、
請求項９に記載の情報処理装置。
【請求項１１】
前記制御部は、前記第１の点が検出されたときに表示される前記アイコンの組合せを編集する編集画面を表示させ、
前記編集画面は、前記第１の点が検出されたときに表示される前記アイコンの組合せが円上に表示され、前記アイコンの組合せに加える候補の前記アイコンが前記円の外に表示される、
請求項７に記載の情報処理装置。
【請求項１２】
前記制御部は、前記第１の点が検出された画面に応じた前記アイコン群を表示させる、
請求項８に記載の情報処理装置。
【請求項１３】
前記制御部は、前記第１の点がホーム画面上に検出され、前記第１の点からの方向を指示する第１の操作が検出されると、前記第１の操作により指定される前記アイコンに関連する画面を表示させる、
請求項７に記載の情報処理装置。
【請求項１４】
前記制御部は、指定される前記アイコンである第１アイコンに関連する画面が表示された後、前記第１アイコン以外の前記アイコンである第２アイコンを指定する操作が検出されると、指定された前記第２アイコンに関連する画面を表示させる、
請求項１３に記載の情報処理装置。
【請求項１５】
前記制御部は、前記第１の点がナビゲーション画面上に検出され、前記第１の点からの方向を指示する第１の操作が検出されると、前記第１の操作により指定される前記アイコンに関連する第１の情報を、前記第１の情報の有する位置情報に基づいて地図上の地点に重畳表示させる、
請求項６に記載の情報処理装置。
【請求項１６】
前記制御部は、前記第１の情報が表示された後に、前記第１の情報に関連する前記アイコンと異なる前記アイコンを指定する操作が検出されると、指定された前記アイコンに関連する第２の情報を、前記第２の情報の有する位置情報に基づいて前記地図上の地点にさらに重畳表示させる、
請求項１５に記載の情報処理装置。
【請求項１７】
指定された第１の点の位置を検出することと、
前記第１の点から方向を指示することにより指定される位置にアイコンを表示させるとともに、前記アイコンの選択により表示される情報が、情報を記憶する記憶部に記憶された情報であるか否かに基づいて前記アイコンの表示形式を決定し、前記記憶部に記憶された情報を表示するアイコンと、前記記憶部に記憶されていない情報を表示するアイコンとを交互に配置することと、
を含む、情報処理方法。
【請求項１８】
コンピュータを、
指定された第１の点の位置を検出する検出部と、
前記第１の点から方向を指示することにより指定される位置にアイコンを表示させ、前記アイコンの選択により表示される情報が、情報を記憶する記憶部に記憶された情報であるか否かに基づいて前記アイコンの表示形式を決定し、前記記憶部に記憶された情報を表示するアイコンと、前記記憶部に記憶されていない情報を表示するアイコンとを交互に配置する制御部と、
を備える、情報処理装置として機能させるためのプログラム。
【発明の詳細な説明】
【技術分野】
【０００１】
本開示は、情報処理装置、情報処理方法、及びプログラムに関する。
【背景技術】
【０００２】
近年、様々な種類の情報処理装置が普及している。この情報処理装置は、高機能化及び多機能化が進んでいる。情報処理装置に多くの機能が搭載されているとき、ある特定の機能を起動する方法が様々考えられている。例えば特許文献１には、階層型のメニュー画面を提供するナビゲーション装置が開示されている。かかるナビゲーション装置において特定の機能を起動する場合には、ユーザは、階層型のメニューから所望の機能が所属するカテゴリを考えて複数のカテゴリ又は項目を選択する。また特許文献２には、特定の機能へのショートカット機能を有するアイコンを複数表示するホーム画面を提供する情報処理端末が開示されている。
【先行技術文献】
【特許文献】
【０００３】
【特許文献１】特開２０１１−１７４７４４号公報
【特許文献２】特開２０１１−０５３７９０号公報
【発明の概要】
【発明が解決しようとする課題】
【０００４】
ユーザからみた情報処理装置の使いやすさを考える上で、操作性は重要な観点である。ところが、情報処理装置に搭載される機能が多くなると、ある特定の機能を起動するための操作が複雑になりやすい。そこで本開示では、ユーザの操作性を向上させることのできる、新規かつ改良された情報処理装置、情報処理方法、及びプログラムを提案する。
【課題を解決するための手段】
【０００５】
本開示によれば、指定された第１の点の位置を検出する検出部と、上記第１の点から方向を指示することにより指定される位置にアイコンを表示させる制御部と、を有する情報処理装置が提供される。【０００６】
また本開示によれば、指定された第１の点の位置を検出することと、上記第１の点から方向を指示することにより指定される位置にアイコンを表示させることと、を含む情報処理方法が提供される。【０００７】
また本開示によれば、コンピュータを、指定された第１の点の位置を検出する検出部と、上記第１の点から方向を指示することにより指定される位置にアイコンを表示させる制御部と、を有する情報処理装置として機能させるためのプログラムが提供される。
【発明の効果】
【０００８】
以上説明したように本開示によれば、ユーザの操作性を向上させることができる。
【図面の簡単な説明】
【０００９】
【図１】本開示の一実施形態にかかる端末装置の表示する表示画面の一例について概略的に示す説明図である。
【図２】同実施形態にかかる端末装置がホーム画面上で表示させるアイコンの一例を示す説明図である。
【図３】同実施形態にかかる端末装置がナビゲーション画面上で表示させるアイコンの一例を示す説明図である。
【図４】同実施形態にかかる端末装置の機能構成例を示すブロック図である。
【図５】同実施形態にかかる端末装置の外観の第１の例を示す説明図である。
【図６】同実施形態にかかる端末装置の外観第２の例を示す説明図である。
【図７】同実施形態にかかる端末装置により表示されるアイコンの配置の一例を示す説明図である。
【図８】同実施形態にかかる端末装置により表示されるアイコンの表示形式の一例を示す説明図である。
【図９】同実施形態にかかる端末装置により表示されるアイコンの表示形式の他の一例を示す説明図である。
【図１０】同実施形態にかかる端末装置によりアイコンが表示されるリングの表現例について示す説明図である。
【図１１】同実施形態にかかる端末装置が表示画面の周縁部においてアイコンを表示させるときの表示形式の一例について示す説明図である。
【図１２】同実施形態にかかる端末装置が表示するアイコン群にアイコンを追加するときの動作について示す説明図である。
【図１３】同実施形態にかかる端末装置が表示するアイコン群からアイコンを除外するときの動作について示す説明図である。
【図１４】同実施形態にかかる端末装置が表示するホーム画面上のアイコンを指定する操作が検出されたときの動作例を示す説明図である。
【図１５】同実施形態にかかる端末装置が表示するナビゲーション画面上のアイコンを指定する操作が検出されたときの動作例を示す説明図である。
【図１６】同実施形態にかかる端末装置が表示するナビゲーション画面上のアイコンを指定する操作が検出された後、他のアイコンを指定する操作が行われたときの動作例を示す説明図である。
【図１７】同実施形態にかかる端末装置がアイコンの指定に応じて表示した情報を消去する操作の一例を示す説明図である。
【図１８】同実施形態にかかる端末装置が表示する第１リング中のアイコン群からいずれかのアイコンが指定されたときに表示される第２リングの一例を示す説明図である。
【図１９】同実施形態にかかる端末装置の動作例を示すフローチャートである。
【図２０】同実施形態に係る端末装置のハードウェア構成例を示すブロック図である。
【図２１】同実施形態の変形例にかかる端末装置が表示する立体映像の一例を示す説明図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
また、本明細書及び図面において、実質的に同一の機能構成を有する複数の構成要素を、同一の符号の後にハイフンを介して異なる番号を付して区別する場合もある。例えば、実質的に同一の機能構成を有する複数の構成を、必要に応じてアイコンＩ−１、アイコンＩ−２のように区別する。ただし、実質的に同一の機能構成を有する複数の構成要素の各々を特に区別する必要がない場合、同一符号のみを付する。例えば、アイコンＩ−１、アイコンＩ−２などを特に区別する必要がない場合には、単にアイコンＩと称する。
【００１２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて端末装置１０Ａ、端末装置１０Ｂのように区別する。ただし、実質的に同一の機能構成を有する複数の構成要素の各々を特に区別する必要がない場合、同一符号のみを付する。例えば、端末装置１０Ａ、及び端末装置１０Ｂなどを特に区別する必要が無い場合には、単に端末装置１０と称する。
【００１３】
なお、説明は以下の順序で行うものとする。
１．概要
２．機能構成例
３．アイコンの表示
４．表示するアイコン群の編集
５．アイコンの選択
６．動作例
７．ハードウェア構成例
８．変形例
【００１４】
＜１．概要＞
まず図１〜図３を参照しながら、本開示の一実施形態にかかる端末装置１０が提供する表示制御機能の概要について説明する。図１は、本開示の一実施形態にかかる端末装置の表示する表示画面の一例について概略的に示す説明図である。図２は、同実施形態にかかる端末装置がホーム画面上で表示させるアイコンの一例を示す説明図である。図３は、同実施形態にかかる端末装置がナビゲーション画面上で表示させるアイコンの一例を示す説明図である。
【００１５】
図１には、ユーザが操作体である指Ｆで端末装置１０が表示させる表示画面２０上の任意の点Ｐ１を指定したときに表示されるアイコンＩが示される。このアイコンＩは、所定の機能と対応づけられた表示オブジェクトの一例であり、所定の機能を実行するためのショートカット機能を有する。また複数のアイコンＩは、指定された点Ｐ１からいずれかの方向を指定したときに、１つのアイコンＩが特定される位置に配置される。例えばこのような配置の一例としては、指定された点Ｐ１を取り囲む配置が挙げられる。例えばこのときアイコンＩは、指定された点Ｐ１を取り囲む円形上に配置されてよい。図１には、指定された点Ｐ１を略中心とする円Ｃ１上に複数のアイコンＩが配置される例が示される。アイコンＩの配置の一例としては、円形の他に三角形、四角形を含む多角形、楕円形などが挙げられる。またこの円形、多角形、楕円形などの形状は、その一部が欠けた状態であってもよいことは言うまでもない。
【００１６】
このように、指定された点Ｐ１からの方向が示されたときに、いずれかのアイコンＩが特定されるようにアイコンＩが配置されると、ユーザは、表示画面２０上において任意の点Ｐ１を指定し、この点Ｐ１からいずれかの方向を指定することによって、所望の機能を実行させることができる。ユーザの操作性を考えたとき、できるだけ小さい動きで所望の機能を実行させることができることが望ましい。したがって、画面上にアイコンＩが予め決まった配置で表示された画面を用いる方法、及び階層構造のメニューから所望の項目を段階的に選択する方法と比較して、ユーザの動きが小さい本開示の方法は、操作性の観点から望ましい。
【００１７】
なお、任意の点Ｐ１を指定する画面は、例えば図２に示されるようにホーム画面２０Ａであってもよい。また任意の点Ｐ１を指定する画面は、アプリケーション実行画面であってよく、例えば図３に示されるようにナビゲーション画面２０Ｂであってもよい。またホーム画面２０Ａに表示される円Ｃ１−Ａ上のアイコンＩ群と、ナビゲーション画面２０Ｂに表示される円Ｃ１−Ｂ上のアイコンＩ群とは異なる種類のアイコンＩの組合せであってよい。
【００１８】
＜２．機能構成例＞
次に図４〜図６を参照しながら、本開示の一実施形態にかかる端末装置１０の機能構成例について説明する。図４は、同実施形態にかかる端末装置の機能構成例を示すブロック図である。図５は、同実施形態にかかる端末装置の外観の第１の例を示す説明図である。図６は、同実施形態にかかる端末装置の外観第２の例を示す説明図である。
【００１９】
図４を参照すると、端末装置１０は、表示部１０５と、操作検出部１１０と、制御部１１５と、通信部１２０と、記憶部１２５と、位置情報取得部１３０と、を主に有する。
【００２０】
（表示部１０５）
表示部１０５は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬディスプレイ（ＯＥＬＤ：Ｏｒｇａｎｉｃ  ＥｌｅｃｔｒｏＬｕｍｉｎｅｓｃｅｎｃｅ  Ｄｉｓｐｌａｙ）装置などの表示装置であってよい。または表示部１０５は、映像を投射するプロジェクタであってもよい。表示部１０５は、制御部１１５の制御に従って表示する映像を制御することができる。
【００２１】
（操作検出部１１０）
操作検出部１１０は、ユーザの入力する操作を検出する機能を有する。操作検出部１１０は、例えばタッチセンサ、マウス、キーボード、ボタン、マイク、スイッチ及びレバーなどユーザが情報を入力するための入力部と、ユーザによる入力に基づいて入力信号を生成する入力制御回路などを含んでよい。あるいは操作検出部１１０は、別体の操作部により生成された入力信号を受信することにより操作を検出してもよい。
【００２２】
（制御部１１５）
制御部１１５は、端末装置１０全体の動作を制御する機能を有する。制御部１１５は、例えば表示部１０５の動作を制御する表示制御機能を有してもよい。あるいは制御部１１５は、位置情報取得部１３０から供給される現在の位置情報と、記憶部１２５に記憶される地図データとを用いてナビゲーション機能を提供するナビゲーション部として機能することができてもよい。また制御部１１５は、通信部１２０を制御することにより外部装置との情報の送受信を制御する通信制御部として機能することもできる。制御部１１５の制御内容の詳細については、後述される。
【００２３】
（通信部１２０）
通信部１２０は、ネットワークに接続するための通信デバイスであり、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。また、通信部１２０に接続されるネットワークは、有線又は無線により接続されたネットワークにより構成され、例えば、インターネット、家庭内ＬＡＮ、赤外線通信、可視光通信、放送、又は衛星通信等である。
【００２４】
（記憶部１２５）
記憶部１２５は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００２５】
（位置情報取得部１３０）
位置情報取得部１３０は、現在の位置情報を取得する機能を有する。位置情報取得部１３０は、例えばＧＰＳ（Ｇｌｏｂａｌ  Ｐｏｓｉｔｉｏｎｉｎｇ  Ｓｙｓｔｅｍ）アンテナとＧＰＳ受信信号から位置情報を算出するＧＰＳ処理部とにより実現されてもよい。或いは、位置情報取得部１３０は、各種のセンサを用いた自律測位機能を有していてもよい。また、位置情報取得部１３０は、複数の基地局から受信するＷｉ−Ｆｉ電波の受信強度から各基地局と端末装置１０との距離を推定し、推定した距離と各基地局の位置情報とを利用して現在の位置情報を算出してもよい。また、位置情報取得部１３０は、各種の室内測位の技術により位置情報を取得してもよい。例えば、室内測位に用いられる技術の例としては、室内ＧＰＳとも呼ばれるＩＭＥＳ（Ｉｎｄｏｏｒ  Ｍｅｓｓａｇｉｎｇ  Ｓｙｓｔｅｍ）、可視光通信、赤外線通信、ＲＦＩＤ（Ｒａｄｉｏ  Ｆｒｅｑｕｅｎｃｙ  ＩＤｅｎｔｉｆｉｃａｔｉｏｎ）タグ、ＱＲ（Ｑｕｉｃｋ  Ｒｅｓｐｏｎｃｅ）コード、Ｂｌｕｅｔｏｏｔｈ（登録商標）などが挙げられる。また位置情報取得部１３０は、課金情報に基づいて、課金が行われた実際の店舗の所在地を課金が行われた時点におけるユーザの現在位置としてもよい。また位置情報取得部１３０は、チェックイン情報に基づいて、チェックイン対象の施設の所在地を、チェックインが行われた時点におけるユーザの現在位置としてもよい。
【００２６】
なおここでは端末装置１０は、図５に示されるように携帯電話１０Ａであってもよいし、図６に示されるようにＰＮＤ（Ｐｅｒｓｏｎａｌ  Ｎａｖｉｇａｔｉｏｎ  Ｄｅｖｉｃｅ）１０Ｂであってもよい。このときＰＮＤ１０Ｂは、ナビゲーション機能を主機能とする装置であり、例えばクレードル１４と吸盤１６とを介して車両等に設置することができてよい。またこの携帯電話１０Ａ及びＰＮＤ１０Ｂは、表示部１０５上に操作検出部１１０であるタッチセンサが重畳され、画面上を操作体（例えばユーザの指Ｆなど）で操作することによって、所望の操作を入力することができる。しかし、これは本開示の技術的思想を実現するための一例であり、かかる例に限定されないことは言うまでもない。
【００２７】
以上、本実施形態に係る端末装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。
【００２８】
なお、上述のような本実施形態に係る端末装置１０の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２９】
＜３．アイコンの表示＞
次に図７〜図１１を参照しながら、同実施形態にかかる端末装置１０が任意の点Ｐ１の入力を検出したときのアイコンの表示について説明する。図７は、同実施形態にかかる端末装置により表示されるアイコンの配置の一例を示す説明図である。図８は、同実施形態にかかる端末装置により表示されるアイコンの表示形式の一例を示す説明図である。図９は、同実施形態にかかる端末装置により表示されるアイコンの表示形式の他の一例を示す説明図である。図１０は、同実施形態にかかる端末装置によりアイコンが表示されるリングの表現例について示す説明図である。図１１は、同実施形態にかかる端末装置が表示画面の周縁部においてアイコンを表示させるときの表示形式の一例について示す説明図である。
【００３０】
ここで端末装置１０の操作検出部１１０が任意の点Ｐ１の入力を検出したときに制御部１１５が表示させるアイコンＩの表示方法について説明する。図１を用いて説明したように、制御部１１５は、表示部１０５に、検出された任意の点Ｐ１を略中心とする円Ｃ１上にアイコンＩを表示させる。このとき表示されるアイコンＩ群は、例えば図７に示されるように、ネットワーク経由で取得するお知らせ情報を表示する機能を実行させるための第１のアイコンＩ−１、ホーム画面の表示に切り替えるための第２のアイコンＩ−２、投稿されたメッセージなどの情報をネットワーク経由で取得して表示する機能を実行させるための第３のアイコンＩ−３、端末装置１０内部に記憶されたお知らせ情報を表示する機能を実行させるための第４のアイコンＩ−４、及び投稿されたメッセージなどの情報をネットワーク経由で取得して表示する機能を実行させるための第５のアイコンＩ−５を含む。なおこれらのアイコンＩ群は、指Ｆが表示画面２０から離されると、表示が中止される。
【００３１】
これらのアイコンＩ群は、例えば円Ｃ１上に配置され、指定された点Ｐ１からいずれかの方向を指示することによりいずれかのアイコンＩが特定されるように配置される。またこの方向の指示によりいずれかのアイコンＩが特定されると、制御部１１５は、特定されたアイコンＩの機能を一時的に実行することができる。例えば制御部１１５は、特定されたアイコンＩにより表示する情報を一時的に表示させることができる。ここで一時的に表示された情報は、例えばユーザがこのアイコンＩ上から指Ｆを離すことによってこのアイコンＩの機能の実行が確定されてよい。すなわち、ユーザがいずれかのアイコンＩを選択したときには、このアイコンＩの機能が一時的に実行される。そしてその後、ユーザの指Ｆが表示画面２０から離れることなくこのアイコンＩ上から離れたときには、実行された機能の選択は確定されない。したがってユーザは、表示画面２０上から指Ｆを離さないまま順次アイコンＩを選択していくことにより、一時的にそれぞれのアイコンＩの機能を実行させることができる。
【００３２】
このとき、アイコンＩにより実行される機能がネットワーク経由で情報を取得するとき、表示する情報がまだ取得されていない状態においては、アイコンＩが選択されてもその機能は実行されない。したがって、ユーザの待ち時間が延長されると、操作性が低下してしまう。そこで制御部１１５は、ネットワーク経由で情報を取得して表示させるためのアイコンＩと、すでに端末装置１０内部に表示させる情報を有するアイコンＩとを交互に表示させることができる。ユーザが円Ｃ１上をなぞるように操作したときに、選択されたアイコンＩの機能が順次実行されるが、上記の通り交互配置されることによって、ユーザの待機時間を短縮することができる。
【００３３】
また図８に示されるように、制御部１１５は、アイコンＩが選択されたときに表示される情報がすでに端末装置１０内部に記憶されたアイコンＩと、未だ端末装置１０内部に表示する情報を有していないアイコンＩとを、異なる表示形式で表示させてもよい。すなわち、その時点において選択した場合に即時情報を表示させることのできるアイコンＩをユーザが識別することができるように、制御部１１５はアイコンＩの表示形式を制御する。図８においては、未だアイコンＩ−３の機能を実行するための情報が取得されていない状態１と、アイコンＩ−３の機能を実行するための情報が取得された後の状態２とが示される。制御部１１５は、アイコンＩ−３の色、形状、透過度、などのデザインを変更することにより、情報取得前後の表示形式を変更することができる。
【００３４】
また図９に示されるように、制御部１１５は、アイコンＩが選択されたときに表示される情報が未だ端末装置１０内部に格納されていないアイコンＩを他のアイコンＩより小さく表示してもよい。これにより、その時点において選択した場合に即時情報を表示させることのできるアイコンＩをユーザが識別することができる。図９においては、未だアイコンＩ−３の機能を実行するための情報が取得されていない状態３と、アイコンＩ−３の機能を実行するための情報が取得された後の状態４とが示される。
【００３５】
ここで図８及び図９を用いて説明されたように、情報の取得前後でアイコンＩの表示形式を変化させることによって、ユーザはその時点において選択した場合に即時情報を表示させることのできるアイコンＩをユーザが識別することができる。これにより、ユーザがアイコンＩを選択したけれども、情報が表示されず待機する状態の発生を低減することができる。
【００３６】
また図１０に示されるように、円Ｃ１の大きさは、円Ｃ１上に表示されるアイコンＩの数に応じて変化してもよい。すなわち、制御部１１５は、表示するアイコンＩの数が多くなると、円Ｃ１の大きさを大きくすることができる。図１０には、アイコンＩが５個含まれる状態５の円Ｃ１とアイコンＩが８個含まれる状態６の円Ｃ１とが示される。このとき、状態６における円Ｃ１の大きさは、状態５における円Ｃ１の大きさよりも大きい。
【００３７】
また、表示画面２０の端において操作が行われた場合の表現について図１１を参照しながら説明する。表示画面２０の端付近において指定された点Ｐ１が検出されると、制御部１１５は、円Ｃ１の全てを表示画面２０内に表示させることができない。そこでこのときには、制御部１１５は、アイコンＩの間隔を詰めて表示させてよい。またこのとき制御部１１５は、アイコンＩを互いに重ねて表示させてもよい。またこのとき制御部１１５は、アイコンＩの大きさを縮小して表示させてもよい。また図１１の下図に示されるように、この指定された点Ｐ１から、いずれかのアイコンＩ上の点Ｐ２に向けてドラッグする操作を行ったとき、制御部１１５は、選択されたアイコンＩ（すなわち点Ｐ２が含まれるアイコンＩ）を他のアイコンＩよりも大きく表示させることができる。
【００３８】
上述のように、表示画面２０の端付近において操作が行われると、表示画面２０の中央付近で操作が行われた場合と比較して、アイコンＩを表示させるための領域が狭くなる。そこで、アイコンＩの間隔を狭める、アイコンＩの大きさを縮小する、或いは複数のアイコンＩ間に優先度をつけて、優先度の高いアイコンＩを大きく表示し、優先度の低いアイコンＩを小さく表示することにより、限られた表示領域の中でユーザの操作性の低下を抑制することができる。
【００３９】
＜４．表示するアイコン群の編集＞
次に図１２及び図１３を参照しながら、表示するアイコンＩ群の編集について説明する。図１２は、同実施形態にかかる端末装置が表示するアイコン群にアイコンを追加するときの動作について示す説明図である。図１３は、同実施形態にかかる端末装置が表示するアイコン群からアイコンを除外するときの動作について示す説明図である。
【００４０】
まずアイコンＩ群へのアイコンＩの追加について図１２を参照しながら説明する。制御部１１５は、ユーザが表示画面２０上の任意の点Ｐ１を指定すると、この点Ｐ１の周囲に円Ｃ１とアイコンＩ群を表示させる。このようにアイコンＩ群が表示された状態においてユーザが円Ｃ１上に表示させるアイコンＩの編集を開始するための所定の操作を行うと、制御部１１５は、円Ｃ１上に表示させるアイコンＩ群に追加する候補のアイコンＩを表示させる。ここでユーザが追加するアイコンＩａｄを選択してドラッグ操作を行い、円Ｃ１上でドロップすると、下図に示されるように、このアイコンＩａｄが円Ｃ１上に追加される。
【００４１】
またアイコンＩの円Ｃ１からの除外操作について図１３を参照しながら説明する。制御部１１５は、ユーザが表示画面２０上の任意の点Ｐ１を指定すると、この点Ｐ１の周囲に円Ｃ１とアイコンＩ群を表示させる。このようにアイコンＩ群が表示された状態においてユーザが円Ｃ１上に表示させるアイコンＩの編集を開始するための所定の操作を行うと、制御部１１５は、円Ｃ１上に表示させるアイコンＩ群に追加する候補のアイコンＩを表示させる。ここでユーザが円Ｃ１上に表示されたアイコンＩのうち、円Ｃ１から除外したいアイコンＩｄｅを選択し、円Ｃ１の外に向けてドラッグ操作を行うと、選択されたアイコンＩｄｅが円Ｃ１から除外される。このように直感的に円Ｃ１上に表示されるアイコンＩ群を編集することができると、ユーザの操作性が向上する。
【００４２】
＜５．アイコンの選択＞
次に図１４〜図１８を参照しながら、同実施形態にかかる端末装置１０が任意の点Ｐ１を指定したときに表示するアイコンＩ群に対して、選択操作を行ったときの動作について説明する。図１４は、同実施形態にかかる端末装置が表示するホーム画面上のアイコンを指定する操作が検出されたときの動作例を示す説明図である。図１５は、同実施形態にかかる端末装置が表示するナビゲーション画面上のアイコンを指定する操作が検出されたときの動作例を示す説明図である。図１６は、同実施形態にかかる端末装置が表示するナビゲーション画面上のアイコンを指定する操作が検出された後、他のアイコンを指定する操作が行われたときの動作例を示す説明図である。図１７は、同実施形態にかかる端末装置がアイコンの指定に応じて表示した情報を消去する操作の一例を示す説明図である。図１８は、同実施形態にかかる端末装置が表示する第１リング中のアイコン群からいずれかのアイコンが指定されたときに表示される第２リングの一例を示す説明図である。
【００４３】
まずホーム画面２０Ａに対してユーザが任意の点Ｐ１を指定したときに表示される円Ｃ１−Ａ上に表示されるアイコンＩ群は、図１４に示されるように、例えば通話機能を実行させるための第６のアイコンＩ−６、メール機能を実行させるための第７のアイコンＩ−７、ブラウザ機能を実行させるための第８のアイコンＩ−８、音楽再生機能を実行させるための第９のアイコンＩ−９、及びスケジュール機能を実行させるための第１０のアイコンＩ−１０を含む。なおこれらのアイコンは、指Ｆがホーム画面２０Ａから離れると表示が中止される。
【００４４】
そして、表示されたアイコンＩ群のうち、例えばユーザが第１０のアイコンＩ−１０を選択する操作を行うと、スケジュール画面２０Ｃが表示される。このとき第１０のアイコンＩ−１０を選択する操作は、例えば指定した点Ｐ１から第１０のアイコンＩ−１０に向かう方向を指定する操作であってよい。制御部１１５は、例えばこの方向を指定する操作が検出された時点で、スケジュール画面２０Ｃへの表示の切り替えを行ってもよいし、この第１０のアイコンＩ−１０から指Ｆが離された時点において、スケジュール画面２０Ｃへの切り替えを行ってもよい。
【００４５】
またナビゲーション画面２０Ｂに対してユーザが任意の点Ｐ１を指定したときに表示される円Ｃ１−Ｂ上に表示されるアイコンＩ群のうちのいずれかのアイコンＩ−３を指定する操作が行われると、図１５に示されるように、アイコンＩ−３が選択されることにより表示される情報５０が一時的に表示される。この情報５０は、地図上の特定の位置上に表示される。ここで情報５０はこの位置に対応づけられた投稿メッセージが存在することを示す表示オブジェクトであってよい。
【００４６】
なおこのアイコンＩ−３が指定された状態からドラッグ操作を行うことにより、ユーザは、指定するアイコンＩを変更することができる。制御部１１５は、このとき順次指定されたアイコンＩに対応づけられた機能を一時的に実行することができる。例えばドラッグ操作の後、アイコンＩ−５が指定された状態においては、制御部１１５は、第３のアイコンＩ−３の指定により表示される情報５０に加えて、第５のアイコンＩ−５の指定により表示される情報６０を表示させる。情報６０も情報５０と同様に、特定の位置に対応づけられた投稿メッセージが存在することを示す表示オブジェクトであってよい。この投稿メッセージは、例えばその場所に関する口コミ情報、日記テキスト、画像などを含むことができる。
【００４７】
このように、順次アイコンＩが指定されると、それぞれのアイコンＩに対応づけられた機能の実行により表示される情報が積み重なって表示されてもよい。この場合には、例えば図１７に示されるように、ユーザが長押し操作の後にドラッグ操作を行うと、アイコンＩ、情報５０、及び情報６０の表示が中止される。
【００４８】
なお、ユーザがアイコンＩ−３を指定したとき、すなわちアイコンＩ−３上に指Ｆが検出されたとき、制御部１１５は、指定されたアイコンＩ−３に関連する第２の円Ｃ２をさらに表示させてもよい。この円Ｃ２上には、アイコンＩ−３ａ及びアイコンＩ−３ｂが表示される。例えばここで示されるアイコンＩ−３ａが指定されると、投稿メッセージの中でも混雑に関する情報が選択的に表示される。またここで示されるアイコンＩ−３ｂが指定されると、投稿メッセージの中でもイベントに関する情報が選択的に表示される。
【００４９】
ここで円Ｃ２上に表示されるアイコンＩは、ユーザが予め設定したアイコンＩであってよい。また円Ｃ２上に表示されるアイコンＩは、現在地その他の情報に基づいて選択されたおすすめ情報であってもよい。
【００５０】
＜６．動作例＞
次に図１９を参照しながら、本開示の一実施形態にかかる端末装置１０の動作例について説明する。図１９は、同実施形態にかかる端末装置の動作例を示すフローチャートである。
【００５１】
まず制御部１１５は、操作検出部１１０によって任意の地点の長押し操作が検出されたか否かを判断する（Ｓ１００）。ここで長押し操作が検出されると、制御部１１５は、アイコンＩ群をサークル上に表示させる（Ｓ１０５）。次に制御部１１５は、アイコンＩ群が表示された後に、指が画面から離れたか否かを判断する（Ｓ１１０）。ここで指が画面から離れたことが検出されると、制御部１１５は、表示したアイコンＩ群を消して、長押し操作前の状態に表示画面を戻す（Ｓ１１５）。
【００５２】
一方、指が離れていないと判断されたときには、制御部１１５は、長押し点からの方向を指示する操作が検出されたか否かを判断する（Ｓ１２０）。ここで長押し点からの方向を指示する操作が検出されたときには、次に制御部１１５は、方向を指示する操作により指定されたアイコンＩに関連する情報を一時的にプレビュー表示する（Ｓ１２５）。
【００５３】
ここで制御部１１５は、指がいずれかのアイコンＩを指定した状態で画面から離れたか否かを判断する（Ｓ１３０）。そして指が画面から離れたことが検出されると、制御部１１５は、指定したアイコンＩの選択を確定する（Ｓ１３５）。そして次に制御部１１５は、表示したアイコンＩ群を消す（Ｓ１４０）。
【００５４】
＜７．ハードウェア構成例＞
次に、図２０を参照しながら、本開示の一実施形態に係る端末装置１０のハードウェア構成例について説明する。図２０は、同実施形態に係る端末装置のハードウェア構成例を示すブロック図である。
【００５５】
ここで、端末装置１０の構成の一例について説明する。図２０を参照すると、端末装置１０は、例えば、電話網アンテナ８１７と、電話処理部８１９と、ＧＰＳアンテナ８２１と、ＧＰＳ処理部８２３と、Ｗｉｆｉアンテナ８２５と、Ｗｉｆｉ処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９とを有する。なお、ここで示すハードウェア構成は一例であり、構成要素の一部が省略されてもよい。また、ここで示される構成要素以外の構成要素をさらに含んでもよいことは言うまでもない。
【００５６】
（電話網アンテナ８１７）
電話網アンテナ８１７は、通話及び通信用の携帯電話網と無線で接続する機能を有するアンテナの一例である。電話網アンテナ８１７は、携帯電話網を介して受信される通話信号を電話処理部８１９に供給することができる。
【００５７】
（電話処理部８１９）
電話処理部８１９は、電話網アンテナ８１７により送受信される信号に対する各種の信号処理を行う機能を有する。電話処理部８１９は、例えばマイク８５７を介して入力され、エンコーダ８５５によりエンコードされた音声信号に対して各種の信号処理を行い、電話網アンテナ８１７に供給することができる。また電話処理部８１９は、電話網アンテナ８１９から供給される音声信号に対して各種の信号処理を行い、デコーダ８５１に供給することができる。
【００５８】
（ＧＰＳアンテナ８２１）
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００５９】
（ＧＰＳ処理部８２３）
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該端末装置１０までの距離をそれぞれ算出する。そして、算出された各ＧＰＳ衛星の位置と、各ＧＰＳ衛星から当該端末装置１０までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【００６０】
（Ｗｉｆｉアンテナ８２５）
Ｗｉｆｉアンテナ８２５は、例えば無線ＬＡＮ（Ｌｏｃａｌ  Ａｒｅａ  Ｎｅｔｗｏｒｋ）通信網との通信信号をＷｉｆｉの仕様に従って送受信する機能を有するアンテナである。Ｗｉｆｉアンテナ８２５は、受信した信号を通信処理部８２７に供給することができる。
【００６１】
（Ｗｉｆｉ処理部８２７）
Ｗｉｆｉ処理部８２７は、Ｗｉｆｉアンテナ８２５から供給された信号に各種の信号処理を行う機能を有する。Ｗｉｆｉ処理部８２７は、供給されたアナログ信号から生成したデジタル信号をＣＰＵ８３９に供給することができる。
【００６２】
（地磁気センサ８２９）
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【００６３】
（加速度センサ８３１）
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【００６４】
（ジャイロセンサ８３３）
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【００６５】
（気圧センサ８３５）
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【００６６】
（撮像部８３７）
撮像部８３７は、ＣＰＵ８３９の制御に従い、レンズを介して静止画像又は動画像を撮影する機能を有する。撮像部８３７は、撮影した画像を記憶部８５９に記憶させてもよい。
【００６７】
（ＣＰＵ８３９）
ＣＰＵ８３９は、演算処理装置及び制御装置として機能し、各種プログラムに従って端末装置１０内の動作全般を制御する。またＣＰＵ８３９は、マイクロプロセッサであってもよい。このＣＰＵ８３９は、各種プログラムに従って様々な機能を実現することができる。
【００６８】
（ＲＯＭ８４１，ＲＡＭ８４３）
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【００６９】
（操作部８４７）
操作部８４７は、ユーザが所望の操作をするための入力信号を生成する機能を有する。操作部８４７は、例えばタッチセンサ、マウス、キーボード、ボタン、マイク、スイッチ及びレバーなどユーザが情報を入力するための入力部と、ユーザによる入力に基づいて入力信号を生成し、ＣＰＵ８３９に出力する入力制御回路などから構成されてよい。
【００７０】
（表示部８４９）
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、ユーザに対して画面を表示することにより情報を提供することができる。
【００７１】
（デコーダ８５１，スピーカ８５３）
デコーダ８５１は、ＣＰＵ８３９の制御に従い、入力されたデータのデコード及びアナログ変換などを行う機能を有する。デコーダ８５１は、例えば電話網アンテナ８１７及び電話処理部８１９を介して入力された音声データのデコード及びアナログ変換などを行い、音声信号をスピーカ８５３に出力することができる。またデコーダ８５１は、例えばＷｉｆｉアンテナ８２５及びＷｉｆｉ処理部８２７を介して入力された音声データのデコード及びアナログ変換などを行い、音声信号をスピーカ８５３に出力することができる。スピーカ８５３は、デコーダ８５１から供給される音声信号に基づいて音声を出力することができる。
【００７２】
（エンコーダ８５５，マイク８５７）
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【００７３】
（記憶部８５９）
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００７４】
＜８．変形例＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７５】
例えば、上記実施形態では、表示制御部として機能する制御部１１５は、端末装置１０の有する表示部１０５にアイコンＩなどを表示させることとしたが、本技術はかかる例に限定されない。例えば表示装置は、端末装置１０の外部にあってもよい。またあるいは表示対象は表示画面に限らず、空間中にアイコンＩなどを含む映像が表示されてもよい。空間中に映像が表示されるとき、この映像は立体映像（ホログラフィ）であってもよい。
【００７６】
表示対象を空間とするときの実施例が図２１に示される。図２１は、同実施形態の変形例にかかる端末装置が表示する立体映像の一例を示す説明図である。例えばユーザが手によって空間中の任意の点Ｐ１を指定する操作をすると、この点Ｐ１の周囲にアイコンＩを含む円Ｃ１が表示されてよい。このとき円Ｃ１は、空間中の任意の平面上の円であってもよいし、球状で立体的に表現されてもよい。例えばユーザが点Ｐ１から、いずれかのアイコンＩ上の点Ｐ２に向かって方向を指示する操作を行うと、指示された方向により特定されるアイコンＩの機能が実行される。この場合、例えば任意の点Ｐ１などは、撮像装置などを用いた操作検出機能により検出されてよい。
【００７７】
また、上記実施形態では、アイコンＩは、円Ｃ上に表示されることとしたが、本技術はかかる例に限定されない。例えば三角形、四角形を含む多角形上にアイコンＩは表示されてもよいし、楕円上にアイコンＩは表示されてもよい。
【００７８】
また、上記実施形態では、端末装置１０は、スマートホン又はＰＮＤであることとしたが、本技術はかかる例に限定されない。表示制御機能を有するあらゆる情報処理装置に本開示の技術を適用することができる。例えば端末装置１０は、ＰＣ（Ｐｅｒｓｏｎａｌ  Ｃｏｍｐｕｔｅｒ）、映像処理装置、ＰＤＡ（Ｐｅｒｓｏｎａｌ  Ｄｉｇｉｔａｌ  Ａｓｓｉｓｔａｎｔｓ）、ゲーム機器、音楽再生装置、携帯電話、家電機器などの情報処理装置であってよい。
【００７９】
また、上記実施形態では、アイコンＩ群を表示する操作を行う対象の表示画面の一例として、ホーム画面及びナビゲーション画面が挙げられたが、本技術はかかる例に限定されない。例えば、ナビゲーション機能以外のあらゆるアプリケーションを実行している画面に対しても適用することができる。このとき制御部１１５は、操作対象の画面ごとに異なるアイコンＩを表示させることができる。
【００８０】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００８１】
なお、以下のような構成も本開示の技術的範囲に属する。
（１）
指定された第１の点の位置を検出する検出部と、
前記第１の点から方向を指示することにより指定される位置にアイコンを表示させる制御部と、
を備える、情報処理装置。
（２）
前記制御部は、前記第１の点からの方向を指示する第１の操作が検出されると、指定される前記アイコンに関連する情報をさらに表示させる、
前記（１）に記載の情報処理装置。
（３）
前記制御部は、前記第１の点からの方向を指示する第１の操作が検出されると、指定される前記アイコンに関連する前記アイコンをさらに表示させる、
前記（１）または（２）のいずれかに記載の情報処理装置。
（４）
前記制御部は、前記第１の点からの方向を指示する第１の操作によって指定された前記アイコンを選択する第２の操作が検出されると、前記アイコンの示す機能を実行させる、
前記（１）〜（３）のいずれかに記載の情報処理装置。
（５）
前記制御部は、前記第１の点からの方向を指示する第１の操作に応じて指定される前記アイコンの選択により表示される情報をプレビュー表示させる、
前記（１）〜（４）のいずれかに記載の情報処理装置。
（６）
前記アイコンの選択は、操作体の位置に応じて検出され、
前記制御部は、操作体の位置が前記アイコン上に検出された状態から前記操作体が操作を中止したことが検出されると、前記アイコンの選択を確定する、
前記（１）〜（５）のいずれかに記載の情報処理装置。
（７）
前記制御部は、前記第１の点を略中心とする円上に前記アイコンを配置する、
前記（１）〜（６）のいずれかに記載の情報処理装置。
（８）
前記制御部は、表示する前記アイコンの数に応じて、前記円の大きさを変える、
前記（７）に記載の情報処理装置。
（９）
情報を記憶する記憶部、
をさらに備え、
前記制御部は、前記アイコンの選択により表示される情報が前記記憶部に記憶された情報であるか否かに基づいて前記アイコンの配置を決定する、
前記（１）〜（８）のいずれかに記載の情報処理装置。
（１０）
情報を記憶する記憶部、
をさらに備え、
前記制御部は、前記アイコンの選択により表示される情報が前記記憶部に記憶された情報であるか否かに応じて、前記アイコンの表示形式を変更する、
前記（１）〜（９）のいずれかに記載の情報処理装置。
（１１）
前記制御部は、前記第１の点が表示画面の周縁部に検出されたとき、前記アイコンの間隔を狭めて表示させる、
前記（１）〜（１０）のいずれかに記載の情報処理装置。
（１２）
前記制御部は、前記第１の点が表示画面の周縁部に検出され、前記第１の点からの方向を指示する第１の操作により前記アイコンのうちのいずれかが指定されると、指定された前記アイコンを他のアイコンよりも大きく表示させる、
前記（１）〜（１１）のいずれかに記載の情報処理装置。
（１３）
前記制御部は、前記第１の点が検出されたときに表示される前記アイコンの組合せを編集する編集画面を表示させ、
前記編集画面は、前記第１の点が検出されたときに表示される前記アイコンの組合せが円上に表示され、前記アイコンの組合せに加える候補の前記アイコンが前記円の外に表示される、
前記（１）〜（１２）のいずれかに記載の情報処理装置。
（１４）
前記制御部は、前記第１の点が検出された画面に応じた前記アイコン群を表示させる、
前記（１）〜（１３）のいずれかに記載の情報処理装置。
（１５）
前記制御部は、前記第１の点がホーム画面上に検出され、前記第１の点からの方向を指示する第１の操作が検出されると、前記第１の操作により指定される前記アイコンに関連する画面を表示させる、
前記（１）〜（１４）のいずれかに記載の情報処理装置。
（１６）
前記制御部は、指定される前記アイコンに関連する画面が表示された後、他の前記アイコンを指定する操作が検出されると、指定された前記他のアイコンに関連する画面を表示させる、
前記（１５）に記載の情報処理装置。
（１７）
前記制御部は、前記第１の点がナビゲーション画面上に検出され、前記第１の点からの方向を指示する第１の操作が検出されると、前記第１の操作により指定される前記アイコンに関連する第１の情報を、前記第１の情報の有する位置情報に基づいて地図上の地点に重畳表示させる、
前記（１）〜（１６）のいずれかに記載の情報処理装置。
（１８）
前記制御部は、前記第１の情報が表示された後に、前記第１の情報に関連する前記アイコンと異なる前記アイコンを指定する操作が検出されると、指定された前記アイコンに関連する第２の情報を、前記第２の情報の有する位置情報に基づいて前記地図上の地点にさらに重畳表示させる、
前記（１７）に記載の情報処理装置。
（１９）
指定された第１の点の位置を検出することと、
前記第１の点から方向を指示することにより指定される位置にアイコンを表示させることと、
を含む、情報処理方法。
（２０）
コンピュータを、
指定された第１の点の位置を検出する検出部と、
前記第１の点から方向を指示することにより指定される位置にアイコンを表示させる制御部と、
を備える、情報処理装置として機能させるためのプログラム。
【符号の説明】
【００８２】
１０    端末装置（情報処理装置）
１０５  表示部
１１０  操作検出部
１１５  制御部
１２０  通信部
１２５  記憶部
１３０  位置情報取得部
【図１】
0005892239.tif 000002
【図２】
0005892239.tif 000003
【図３】
0005892239.tif 000004
【図４】
0005892239.tif 000005
【図５】
0005892239.tif 000006
【図６】
0005892239.tif 000007
【図７】
0005892239.tif 000008
【図８】
0005892239.tif 000009
【図９】
0005892239.tif 000010
【図１０】
0005892239.tif 000011
【図１１】
0005892239.tif 000012
【図１２】
0005892239.tif 000013
【図１３】
0005892239.tif 000014
【図１４】
0005892239.tif 000015
【図１５】
0005892239.tif 000016
【図１６】
0005892239.tif 000017
【図１７】
0005892239.tif 000018
【図１８】
0005892239.tif 000019
【図１９】
0005892239.tif 000020
【図２０】
0005892239.tif 000021
【図２１】
0005892239.tif 000022